(57)【要約】【課題】犬や猫などの動物の侵入を防止することができ、通気性が良好であり、湿気や熱の滞留も生じ難いカーポートを提供する。【解決手段】カーポート１０は、駐車スペースＳの左側に立設された複数の支柱１ａ，１ｂと、支柱１ａ，１ｂの上端部からそれぞれ駐車スペースＳの右側に向かって延設された梁材２ａ，２ｂと、梁材２ａ，２ｂの上部に配置された屋根８と、駐車スペースＳに駐車された自動車Ｃの正面領域、背面領域及び右側面領域を開閉可能に閉塞するカーテン６と、を備えている。カーテン６は網状材料で形成されており、網目の大きさは、猫や犬などの動物が通過できないサイズ以下である。【選択図】図２
2019138054.tif 000002
【特許請求の範囲】
【請求項１】
自動車を停めて保管するための駐車スペースと、前記駐車スペースの周囲を開閉可能に閉塞する通気性のカーテンと、を備えたカーポート。
【請求項２】
前記カーテンの少なくとも一部が網状材料で形成された請求項１記載のカーポート。
【請求項３】
前記カーテンの下縁部に、錘若しくは前記駐車スペースへの係止手段を設けた請求項１または２記載のカーポート。
【請求項４】
前記駐車スペースに駐車された自動車の上方を覆う屋根を備えた請求項１〜３の何れかの項に記載のカーポート。
【発明の詳細な説明】
【技術分野】
【０００１】
本発明は、駐車スペース内に動物、特に、猫が侵入するのを防止する機能を備えたカーポートに関する。
【背景技術】
【０００２】
自家用車を駐車するため一般住宅の庭などに設置されるカーポートについては、従来、色々なものが提案されているが、代表的なものとして、地面に立設した複数の支柱と、これらの支柱によって支えられた屋根と、を備えた簡易式のカーポートがある。
【０００３】
しかしながら、従来の簡易式のカーポートは隔壁を備えていないので、カーポート内の所定の駐車スペースに駐車した自動車の周囲（正面領域、背面領域、右側面領域並びに左側面領域）は、塀や建物などに面していない限り、開放状態にある。このため、カーポート内に風雨が吹込み易く、カーポート内に駐車されている自動車が汚れることが多い。
【０００４】
また、従来の簡易式のカーポートの周囲は開放状態にあるため、近辺を彷徨する猫が駐車中の自動車の上に乗ってボディー表面を汚したり、塗装面を傷つけたりするトラブルが発生している。さらに、近年の自動車のエンジンルーム内は多種多様の部品が密集配置され隙間が極めて少ない状態にあるため、駐車直後のエンジンの暖を求めてエンジンルーム内やタイヤハウス内に侵入した猫が隙間に嵌って進退窮まって餓死したり、隙間内で進退不能となった猫がエンジンの始動時に回転部分に巻き込まれたりするという悲惨な事故も発生している。そのほか、野良犬がカーポートに侵入し、マーキング行為として、駐車中の自動車の車輪部分に放尿することもある。
【０００５】
一方、本発明に関連する従来のカーポートとして、風雨による自動車の汚れを防止する機能を備えた「風よけ付カーポート」がある（例えば、特許文献１参照。）。特許文献１に記載された「風よけ付カーポート」は、支柱と、支柱の上端に固定された屋根とからなるカーポートにおいて、屋根に風よけが取り付けられ、風よけは、屋根の下部外縁に開閉自在に吊り下げられた半透明の材質によって作られたカーテンと、カーテンの下端に固定された重りと、カーテンの下端を地面に固定するための係合部材とからなるものである。
【先行技術文献】
【特許文献】
【０００６】
【特許文献１】実開平５−１９４５６号公報
【発明の概要】
【発明が解決しようとする課題】
【０００７】
特許文献１に記載された「風よけ付カーポート」を構成するカーテンは風雨が通過しない半透明ビニールなどで形成されているため、太陽光の一部が透過可能であり、通気性もないので、カーテンで包囲された領域内は、所謂、ビニールハウス状態（温室状態）となる。このため、夏場は、カーポート内の気温が周囲の気温より大幅に高くなり、カーポート内に駐車中の自動車に悪影響を及ぼすおそれがある。
【０００８】
特に、夏場において、カーポート内に駐車した自動車のエンジンを止めた後、直ちにカーテンを閉じると、エンジンの熱が放散され難くなり、カーポート内に熱が滞留するので、自動車に及ぼす悪影響は顕著となる。
【０００９】
一方、前記「風よけ付カーポート」の場合、前述したような自動車への悪影響を回避するため、悪天候が予測されるときのみカーテンを閉じるという使い方も可能であるが、天気の良いときにカーテンを開いておくと、近所を彷徨する猫がカーポート内へ侵入して、駐車中の自動車に乗ったり、エンジンルームに入り込んだりすることを防止することができない。また、野良犬がカーポートに侵入し、駐車中の自動車の車輪部分に放尿するのを防止することができない。
【００１０】
本発明が解決しようとする課題は、猫や犬などの動物の侵入を防止することができ、通気性が良好であり、湿気や熱の滞留も生じ難いカーポートを提供することにある。
【課題を解決するための手段】
【００１１】
本発明のカーポートは、自動車を停めて保管するための駐車スペースと、前記駐車スペースの周囲を開閉可能に閉塞する通気性のカーテンと、を備えたことを特徴とする。ここで、前記駐車スペースとは、自動車が駐車可能な障害物のない平面領域を意味するが、平らな水平面に限定するものではなく、自動車が駐車可能であれば、凹凸部分、傾斜部分、凹曲面部分、凸曲面部分があってもよい。
【００１２】
前記カーポートにおいては、前記カーテンの少なくとも一部を網状材料で形成することができる。
【００１３】
前記カーポートにおいては、前記網状カーテンの下縁部に、錘若しくは前記駐車スペースへの係止手段を設けることもできる。
【００１４】
前記カーポートにおいては、前記駐車スペースに駐車された自動車の上方を覆う屋根を設けることもできる。
【発明の効果】
【００１５】
本発明により、犬や猫などの動物の侵入を防止することができ、通気性が良好であり、湿気や熱の滞留も生じ難いカーポートを提供することができる。
【図面の簡単な説明】
【００１６】
【図１】本発明の実施形態であるカーポートが空車状態にあるときの一部省略斜視図である。
【図２】図１に示すカーポートの駐車スペースに自動車を駐車した状態を示す一部省略斜視図である。
【図３】図１に示すカーポートの駐車スペースに自動車を駐車してカーテンを閉めた状態を示す一部省略斜視図である。
【発明を実施するための形態】
【００１７】
以下、図１〜図３に基づいて、本発明の実施形態であるカーポート１０について説明する。図１，図２に示すように、カーポート１０は、自動車Ｃを停めて保管するための駐車スペースＳと、駐車スペースＳの周囲を開閉可能に閉塞する通気性のカーテン６と、を備えている。カーポート１０における駐車スペースＳは、自動車Ｃが駐車可能な水平面であるが、これに限定するものではないので、自動車Ｃが駐車可能であれば、凹凸部分、傾斜部分、凹曲面部分、凸曲面部分があってもよい。カーテン６は網状材料で形成されており、網目の大きさは限定しないが、猫や犬が通過できないサイズ以下であればよい。
【００１８】
図１，図２に示すように、カーポート１０は、駐車スペースＳの左側に立設された複数の支柱１ａ，１ｂと、支柱１ａ，１ｂの上端部からそれぞれ駐車スペースＳの右側に向かって延設された梁材２ａ，２ｂと、梁材２ａ，２ｂの上部に配置された屋根８と、駐車スペースＳに駐車された自動車Ｃの正面領域、背面領域及び右側面領域を開閉可能に閉塞するカーテン６と、を備えている。屋根８の上面には、紫外線遮蔽機能を有する半透明の合成樹脂板９が全面的に敷設され、屋根８は駐車スペースＳに駐車された自動車Ｃの上方を覆うことができる広さを有する。
【００１９】
本実施形態のカーポート１０においては、図１に示すように、駐車スペースＳの左側に立設された支柱１ａ，１ｂの外側に支柱１ａ，１ｂと同程度の高さの塀Ｗが存在し、塀Ｗに面する駐車スペースＳの左側面領域は塀Ｗによって閉塞されているため、カーテン６は、駐車スペースＳの正面領域、背面領域及び右側面領域を開閉可能に閉塞する。
【００２０】
屋根８の前縁部材８ａの左右両端寄りの部分には、それぞれ支持部材３ａ，３ｂが鉛直下方に向かって垂下状に取り付けられ、梁材２ｂの先端部から支持部材３ｃが鉛直下方に向かって垂下状に取り付けられている。これらの支持部材３ａ，３ｂ，３ｃの下端部及び支柱１ｂと梁材２ｂとの交差部付近に、平面視形状がコ字状をなすカーテンレール４が水平状態をなすように配置されている。
【００２１】
カーテン６の上縁部６ａには、その長手方向に沿って複数のフック５が取り付けられ、これらのフック５の上端部がカーテンレール４にスライド自在に取り付けられている。カーテン６の前縁部、後縁部には、それぞれ係止部材７ａ，７ｂが鉛直方向に取り付けられている。係止部材７ａは支柱１ａの外周に係止手段によって着脱可能に係止され、係止部材７ｂは支柱１ｂの前方の塀Ｗの内側面に係止手段によって着脱可能に係止される。前記係止手段は限定しないので、例えば、磁石、フック、ロックアームなどを用いることができる。
【００２２】
係止部材７ａ，７ｂの何れかを、カーテンレール４の長手方向に沿って移動させると、複数のフック５がカーテンレール４の長手方向に沿ってスライドし、これに伴ってカーテン６がカーテンレール４の長手方向に沿って拡がったり、狭まったりする。
【００２３】
ここで、図１〜図３に基づいて、カーポート１０の使い方及び機能について説明する。図１に示すように、カーポート１０が空車状態にあるとき、カーテン６は、駐車スペースＳへの自動車の進入の妨げとならないように、駐車スペースＳの背面領域の支柱１ｂ近くの部分に寄せられている。
【００２４】
次に、図１に示す空車状態にあるカーポート１０の正面側から駐車スペースＳに向かって自動車Ｓを進入させ、図２に示すように、駐車スペースＳにて停車させる。この後、カーテン６の係止部材７ａをカーテンレール４の長手方向に沿って、支柱１ａに向かって移動させ、係止部材７ａを塀Ｗの内側面に係止すると、図３に示すように、駐車スペースＳの正面領域、背面領域及び右側面領域がカーテン６によって閉塞される。これにより、駐車スペースＳに駐車中の自動車Ｃの周囲はカーテン６及び塀Ｗによって閉塞された状態となる。なお、カーテン６は網状材料で形成されているが、図３においては、他の部分の視認性を確保するため、カーテン６の網目を省略して記載している。
【００２５】
図３に示すように、カーポート１０においては、駐車スペースＳに駐車された自動車Ｃの周囲をカーテン６及び塀Ｗで閉塞することができるので、駐車スペースＳ内への犬や猫などの地上歩行動物の侵入を防止することができる。特に、猫は網状材料を嫌う性質があるので、カーテン６は猫の侵入を有効に防止することができる。また、網状材料で形成されたカーテン６は通気性が良好であり、駐車スペースＳ内に湿気や熱の滞留も生じ難いので、湿気や熱に起因する自動車Ｃへの悪影響を回避することができる。
【００２６】
カーポート１０は、駐車スペースＳの周囲において塀Ｗが存在しない領域（駐車スペースＳの正面領域、背面領域及び右側面領域）をカーテン６で閉塞することができるが、塀Ｗが存在しない場合は、カーテンレール４の代わりに、平面視形状が四角形のカーテンレール（図示せず）を配置し、駐車スペースＳの周囲全体（正面領域、背面領域、右側面領域及び左側面領域）をカーテンにより開閉可能に閉塞するようにすることもできる。
【００２７】
また、駐車スペースＳの周囲において塀Ｗが存在する領域以外の領域が、その他の塀、隔壁若しくは建物などによって閉塞されている場合は、閉塞されていない領域に開閉可能なカーテンを配置することもできる。
【００２８】
一方、図１〜図３に示すカーポート１０においては、カーテン６の下縁部６ｂに錘（図示せず）を付設したり、下縁部６ｂに駐車スペースＳへの着脱可能な係止手段（図示せず）を設けたりすることもできる。このような構成とすれば、強風によりカーテン６の下縁部が捲れたり、開いたりするのを防止することができる。
【００２９】
なお、図１〜図３に基づいて説明したカーポートは本発明に係るカーポートの一例を示したものであり、本発明に係るカーポートは前述したカーポート１０に限定されない。
【産業上の利用可能性】
【００３０】
本発明に係るカーポートは、一般住宅や集合住宅などに併設される駐車場において広く利用することができる。
【符号の説明】
【００３１】
１ａ，１ｂ  支柱
２ａ，２ｂ  梁材
３ａ，３ｂ，３ｃ  支持部材
４  カーテンレール
５  フック
６  カーテン
６ａ  上縁部
６ｂ  下縁部
７ａ，７ｂ  係止部材
８  屋根
９  合成樹脂板
１０  カーポート
Ｃ  自動車
Ｓ  駐車スペース
Ｗ  塀
【図１】
2019138054.tif 000003
【図２】
2019138054.tif 000004
【図３】
2019138054.tif 000005